(57)【要約】【課題】それぞれ異なる機能を発揮できる部材が、非正規の装着相手に装着されるのを防止して、各部材を適正に使用できる美容器具を提供する。【解決手段】化粧料を収容する容器１と、容器１内の化粧料を塗布する塗布体２と、塗布体２とは機能が異なる処理体３を備えている。容器１と塗布体２と処理体３の三者を連結した状態においては、容器１の内部に塗布体２の塗布ロッド１１が収容され、塗布ロッド１１内部に処理体３の処理ロッド２１が収容される。塗布体２と処理体３との間に、処理体３が容器１に挿入されるのを規制する挿入阻止構造を設ける。挿入阻止構造は、グリップ２０のキャップ１０との連結部に設けた遮蔽壁６２で構成して、塗布体２と処理体３を連結した状態において、キャップ１０の外面を遮蔽壁６２で覆う。【選択図】図１
2014073243.tif 000002
【特許請求の範囲】
【請求項１】
化粧料を収容する容器（１）と、容器（１）内の化粧料を塗布する塗布体（２）と、塗布体（２）とは機能が異なる処理体（３）を備えており、
容器（１）と塗布体（２）と処理体（３）の三者を連結した状態において、容器（１）の内部に塗布体（２）の塗布ロッド（１１）が収容され、塗布ロッド（１１）の内部に処理体（３）の処理ロッド（２１）が収容されるように構成されており、
容器（１）と処理体（３）との間、または、塗布体（２）と処理体（３）との間に、処理体（３）が容器（１）に挿入されるのを規制する挿入阻止構造が設けてあることを特徴とする美容器具。
【請求項２】
塗布体（２）が、塗布部（１２）を備えた塗布ロッド（１１）と、塗布ロッド（１１）を支持するキャップ（１０）とを備えており、
処理体（３）が、処理部（２２）を備えた処理ロッド（２１）と、処理ロッド（２１）を支持するグリップ（２０）とを備えており、
容器（１）と塗布体（２）とは、容器（１）とキャップ（１０）との間に設けた第１連結構造で連結されており、
塗布体（２）と処理体（３）とは、キャップ（１０）とグリップ（２０）との間に設けた第２連結構造で連結されており、
挿入阻止構造が、グリップ（２０）のキャップ（１０）との連結部に設けた遮蔽壁（６２）で構成されており、
塗布体（２）と処理体（３）を連結した状態において、キャップ（１０）の外面が遮蔽壁（６２）で覆われている請求項１に記載の美容器具。
【請求項３】
塗布体（２）が、塗布部（１２）を備えた塗布ロッド（１１）と、塗布ロッド（１１）を支持するキャップ（１０）とを備えており、
容器（１）と塗布体（２）とは、容器（１）とキャップ（１０）との間に設けた第１連結構造で連結されており、
挿入阻止構造が、容器（１）の出入口（４）の周囲に設けた遮蔽壁（６５）で構成されており、
容器（１）と塗布体（２）を連結した状態において、キャップ（１０）の外面が遮蔽壁（６５）で覆われている請求項１に記載の美容器具。
【請求項４】
塗布体（２）が、塗布部（１２）を備えた塗布ロッド（１１）と、塗布ロッド（１１）を支持するキャップ（１０）とを備えており、
処理体（３）が、処理部（２２）を備えた処理ロッド（２１）と、処理ロッド（２１）を支持するグリップ（２０）とを備えており、
容器（１）と塗布体（２）とは、容器（１）とキャップ（１０）との間に設けた第１連結構造で着脱自在に連結されており、
塗布体（２）と処理体（３）とは、キャップ（１０）とグリップ（２０）との間に設けた第２連結構造で着脱自在に連結されており、
挿入阻止構造が、グリップ（２０）の連結部に設けた内遮蔽壁（６２）と、容器（１）の出入口（４）の周囲に設けた外遮蔽壁（６５）とで構成されており、
容器（１）と塗布体（２）と処理体（３）を連結した状態において、キャップ（１０）の外面が内遮蔽壁（６２）で覆われ、内遮蔽壁（６２）の外面が外遮蔽壁（６５）で覆われている請求項１に記載の美容器具。
【請求項５】
処理体（３）が、処理部（２２）を備えた処理ロッド（２１）と、処理ロッド（２１）を支持するグリップ（２０）とを備えており、
挿入阻止構造が、処理ロッド（２１）で挿入許容姿勢と挿入阻止姿勢とに変位可能に支持される挿入阻止片（３１０）と、挿入阻止片（３１０）を挿入阻止姿勢に変位付勢するばね（３１１）とで構成してあり、
容器（１）の出入口（４）の開口寸法を（Ｄ１）、塗布体（２）の塗布ロッド（１１）の出入口（３１３）の開口寸法を（Ｄ２）、挿入阻止片（３１０）が挿入阻止姿勢に変位した状態における差渡し寸法を（Ｅ）とするとき、式（Ｄ１＜Ｅ＜Ｄ２）を満足するように挿入阻止片（３１０）が構成してある請求項１に記載の美容器具。
【請求項６】
処理体（３）が、処理部（２２）を備えた処理ロッド（２１）と、処理ロッド（２１）を支持するグリップ（２０）とを備えており、
挿入阻止構造が、容器（１）の出入口（４）に配置した第１磁石（３１６）と、処理ロッド（２１）の端部に配置した第２磁石（３１７）とで構成されており、
第１磁石（３１６）の磁極の極性と、第２磁石（３１７）の磁極の極性とが、互いに反発し合う極性に設定してある請求項１に記載の美容器具。
【発明の詳細な説明】
【技術分野】
【０００１】
本発明は、マスカラ塗布具、口紅塗布具、アイシャドー、アイライナー、クレンジング器などの美容器具に関する。本発明に係る美容器具は、それぞれ異なる機能を発揮する３個の部材で構成されていて、各部材を連結することにより１個の美容器具として取扱うことができる。
【背景技術】
【０００２】
本発明に関して、美容器具を異なる機能を発揮する複数個の部材で構成することは、特許文献１に公知である。そこでは、マスカラ液を収容する容器と、塗布ヘッドを備えたキャップなどで塗布器具（美容器具）を構成している。摘みを兼ねるキャップの内部には、加熱装置の電源となる電池が配置してあり、キャップと一体化された塗布ヘッドの内部には、抵抗加熱素子が配置してある。容器にねじ込まれたキャップを容器から取外すと、給電用の回路が閉じられて抵抗加熱素子を発熱させることができ、この熱で塗布ヘッドの基部表面に付着したマスカラ液を加熱して均一に拡散し流動させた状態でまつ毛に塗布できる。
【０００３】
同様の美容器具は特許文献２にも開示されている。そこでは、マスカラ液を収容する容器と、ブラシ棒を支持する取っ手（キャップ）とでマスカラパッケージを構成している。ブラシ棒の下部には、発熱体を備えた発熱塗布部が設けてあり、取っ手の外面に配置したスイッチノブをオン操作することにより発熱体に通電して発熱塗布部を加熱できる。使用時には、容器にねじ込まれた取っ手を取外すことにより、発熱塗布部の外面のブリッスルに付着したマスカラ液を、加熱された状態でまつ毛に塗布できる。さらに、発熱塗布部を容器内に収容した状態のままで、スイッチノブをオン操作することにより、低温のマスカラ液を加熱してその粘度を低下させることができる。
【先行技術文献】
【特許文献】
【０００４】
【特許文献１】特開２００８−２１２６８８号公報（段落番号００３１〜００３２、図２）
【特許文献２】特表２００９−５３２０８３号公報（段落番号００３３、図２）
【発明の概要】
【発明が解決しようとする課題】
【０００５】
特許文献１のマスカラ塗布具によれば、キャップを容器から取外す動作に連動して抵抗加熱素子を発熱させ、塗布ヘッドに付着したマスカラ液を加熱し均一に拡散し流動させた状態でまつ毛に塗布できる。しかし、特許文献１のマスカラ塗布具は、マスカラ液をまつ毛に塗布する機能を備えているに過ぎない。そのため、前段のまつ毛をカールする作業と、後段のまつ毛に付着したダマ（マスカラ塊）を除去する作業を行う際に、別途まつ毛整形具とマスカラコームを用意する必要があり、一連の作業が煩雑で化粧に多くの手間が掛かってしまう。
【０００６】
その点、特許文献２のマスカラ塗布具は、発熱塗布部にまつ毛をカールする櫛と、マスカラ液を塗布するブラシとが設けてあるので、一連の作業を少ない手間で行うことができる。しかし、まつ毛をカールするための櫛がブラシと共に、容器内のマスカラ液に浸漬されるため、まつ毛をカールする際には、櫛に付着したマスカラ液を除去する必要があり、余分な手間が掛かる。マスカラ液が無駄に消費される不利もある。
【０００７】
上記のように従来の美容器具は、美容処理を順序だてて行う際に手間が掛かる点、あるいは、化粧料等が無駄に消費される点で改善の余地があった。本発明者等は、これらの問題点を解決するために検討を重ねた結果、それぞれ異なる機能を発揮できる３個の部材で美容器具を構成すると、美容器具を多機能化して使い勝手を向上できることを見出した。また、収納時に各部材がばらばらになったり、異なる収納場所に紛込むのを防止する必要上、不使用時には各部材を連結して１個の美容器具として取扱えるようにした。しかし、各部材を連結して多機能化された１個の美容器具として構成した場合には、誤って各部材どうしが装着されるおそれがあり、その点の配慮が不可欠であることを確認した。
【０００８】
本発明は上記の知見に基づき提案されたものであって、それぞれ異なる機能を発揮できる部材が、非正規の装着相手に装着されるのを防止して、各部材を適正に使用できる美容器具を提供することにある。
【課題を解決するための手段】
【０００９】
本発明の美容器具は、化粧料を収容する容器１と、容器１内の化粧料を塗布する塗布体２と、塗布体２とは機能が異なる処理体３を備えている。容器１と塗布体２と処理体３の三者を連結した状態においては、容器１の内部に塗布体２の塗布ロッド１１が収容され、塗布ロッド１１内部に処理体３の処理ロッド２１が収容されるように構成してある。容器１と処理体３との間、または、塗布体２と処理体３との間に、処理体３が容器１に挿入されるのを規制する挿入阻止構造が設けてあることを特徴とする。
【００１０】
塗布体２は、塗布部１２を備えた塗布ロッド１１と、塗布ロッド１１を支持するキャップ１０とを備えている。処理体３は、処理部２２を備えた処理ロッド２１と、処理ロッド２１を支持するグリップ２０とを備えている。容器１と塗布体２とは、容器１とキャップ１０との間に設けた第１連結構造で連結してある。塗布体２と処理体３とは、キャップ１０とグリップ２０との間に設けた第２連結構造で連結してある。挿入阻止構造は、グリップ２０のキャップ１０との連結部に設けた遮蔽壁６２で構成する。塗布体２と処理体３を連結した状態において、キャップ１０の外面を遮蔽壁６２で覆うようにする。
【００１１】
塗布体２は、塗布部１２を備えた塗布ロッド１１と、塗布ロッド１１を支持するキャップ１０とを備えている。容器１と塗布体２とは、容器１とキャップ１０との間に設けた第１連結構造で連結する。挿入阻止構造は、容器１の出入口４の周囲に設けた遮蔽壁６５で構成する。容器１と塗布体２を連結した状態において、キャップ１０の外面を遮蔽壁６５で覆うようにする。
【００１２】
塗布体２は、塗布部１２を備えた塗布ロッド１１と、塗布ロッド１１を支持するキャップ１０とを備えている。処理体３は、処理部２２を備えた処理ロッド２１と、処理ロッド２１を支持するグリップ２０とを備えている。容器１と塗布体２とは、容器１とキャップ１０との間に設けた第１連結構造で着脱自在に連結する。塗布体２と処理体３とは、キャップ１０とグリップ２０との間に設けた第２連結構造で着脱自在に連結する。挿入阻止構造は、グリップ２０の連結部に設けた内遮蔽壁６２と、容器１の出入口４の周囲に設けた外遮蔽壁６５とで構成する。容器１と塗布体２と処理体３を連結した状態において、キャップ１０の外面が内遮蔽壁６２で覆われ、内遮蔽壁６２の外面が外遮蔽壁６５で覆われるようにする。
【００１３】
処理体３は、処理部２２を備えた処理ロッド２１と、処理ロッド２１を支持するグリップ２０とを備えている。挿入阻止構造は、処理ロッド２１で挿入許容姿勢と挿入阻止姿勢とに変位可能に支持される挿入阻止片３１０と、挿入阻止片３１０を挿入阻止姿勢に変位付勢するばね３１１とで構成する。容器１の出入口４の開口寸法をＤ１、塗布体２の塗布ロッド１１の出入口３１３の開口寸法をＤ２、挿入阻止片３１０が挿入阻止姿勢に変位した状態における差渡し寸法をＥとするとき、式（Ｄ１＜Ｅ＜Ｄ２）を満足するように挿入阻止片３１０を構成する。
【００１４】
処理体３は、処理部２２を備えた処理ロッド２１と、処理ロッド２１を支持するグリップ２０とを備えている。挿入阻止構造は、容器１の出入口４に配置した第１磁石３１６と、処理ロッド２１の端部に配置した第２磁石３１７とで構成する。第１磁石３１６の磁極の極性と、第２磁石３１７の磁極の極性とを互いに反発し合う極性に設定する。
【発明の効果】
【００１５】
本発明の美容器具においては、容器１と処理体３との間、あるいは塗布体２と処理体３との間に挿入阻止構造を設けて、処理体３が容器１に挿入されるのを防止できるようにした。例えば、まつ毛を整形するための整形体３が、マスカラ液を収容する容器１に誤って挿入されるのを防止できるようにした。従って、本発明の美容器具によれば、それぞれ異なる機能を発揮する容器１と塗布体２と処理体３とが、非正規の装着相手に装着されるのを防止して、各部材１・２・３を適正に使用できる美容器具を提供できる。また、容器１と塗布体２と処理体３の三者を連結した状態においては、容器１の内部に塗布体２の塗布ロッド１１が収容され、塗布ロッド１１内部に処理体３の処理ロッド２１が収容される構造とするので、不使用時には各部材を連結して１個の美容器具として取扱うことができる。これにより、収納時に各部材１・２・３がばらばらになったり、異なる収納場所に紛込むのを防止できる多機能化された美容器具を提供できる。
【００１６】
グリップ２０のキャップ１０との連結部に遮蔽壁６２を設け、塗布体２と処理体３を連結した状態において、キャップ１０の外面を遮蔽壁６２で覆う挿入阻止構造によれば、遮蔽壁６２で覆われたキャップ１０を、単独で操作して容器１から取外すことができなくなる。そのため、処理体３を塗布体２から抜き外したとしても、容器１の出入口４はキャップ１０で塞がれた状態のままであり、従って、処理ロッド２１が容器１内に誤って直接差込まれるのを防止して、塗布体２および処理体３を適正に使用できる。また、塗布体２と処理体３を連結した状態では、塗布体２を容器１から取外すことができるが、その場合には処理ロッド２１が塗布ロッド１１の内部に収容されているので、塗布ロッド１１を容器１内に差込み挿入することはできない。塗布体２と処理体３が連結した状態のままで容器１から分離された場合には、塗布ロッド１１を掴み保持して処理体３を塗布体２から抜外し操作することは不可能ではなく、その場合には、塗布体２から分離された状態の処理体３が、容器１に差込み操作されるおそれがある。しかし、塗布ロッド１１は細く、しかもその塗布部１２やロッド表面にマスカラ液が付着しているため、手を汚してまで先のような分離操作を行う試みを躊躇させることができる。従って、キャップ１０の外面を遮蔽壁６２で覆う挿入阻止構造を設けておけば、処理体３が塗布体２から抜外し操作されるのを確実に防止して、処理体３が容器１に差込み操作されるのを防止できる。
【００１７】
容器１の出入口４の周囲に遮蔽壁６５を設け、容器１に装着されたキャップ１０の外面を遮蔽壁６５で覆う挿入阻止構造によれば、処理体３を塗布体２から取外した状態において、遮蔽壁６５で覆われたキャップ１０を、単独で操作して容器１から取外すことができなくなる。そのため、処理体３を塗布体２から抜き外したとしても、容器１の出入口４はキャップ１０で塞がれた状態のままであり、従って、処理ロッド２１が容器１内に誤って直接差込まれるのを防止して、塗布体２および処理体３を適正に使用できる。
【００１８】
グリップ２０の連結部に設けた内遮蔽壁６２と、容器１の出入口４の周囲に設けた外遮蔽壁６５とで構成した挿入阻止構造によれば、キャップ１０の周囲が内外二重の遮蔽壁６２・６５で囲まれるので、塗布体２を容器１から取外す操作をさらに複雑化して、処理体３が誤って容器１内に差込まれるのをさらに的確に防止できる。
【００１９】
挿入阻止片３１０と、挿入阻止片３１０を挿入阻止姿勢に変位付勢するばね３１１とで構成した挿入阻止構造においては、挿入阻止片３１０を容器１の出入口４の開口端部で受け止めて、処理ロッド２１が容器１内に挿入されるのを構造的に阻止できる。従って、塗布体２が容器１から取外してある場合であっても、処理ロッド２１が容器１内に挿入されるのを防止して、美容器具を適正に使用できる。また、処理ロッド２１を塗布ロッド１１に収容する場合には、挿入阻止片３１０をばね３１１の付勢力に抗して挿入許容姿勢にするだけで、支障なく処理ロッド２１を塗布ロッド１１に挿入して処理体３を塗布体２に装着できる。
【００２０】
互いに反発し合う極性に設定された第１磁石３１６と第２磁石３１７とで挿入阻止構造を構成すると、処理ロッド２１の下部が出入口４の開口の近傍に接近してきたとき、両磁石３１６・３１７が互いに反発して、ユーザーの注意を喚起し、処理ロッド２１の差込み動作を阻むことができる。従って、誤って処理体３が容器１に差込まれようとする場合はもちろん、いたずらなどにより、処理体３が容器１に意図的に差込まれようとする場合であっても、処理ロッド２１の差込み動作を規制することができる。
【図面の簡単な説明】
【００２１】
【図１】本発明に係る美容器具の連結構造を示す縦断正面図である。
【図２】本発明に係るマスカラ塗布具の側面図である。
【図３】本発明に係るマスカラ塗布具の分解断面図である。
【図４】図８におけるＡ−Ａ線断面図である。
【図５】加熱整形部の縦断側面図である。
【図６】使用状態における塗布体の縦断側面図である。
【図７】図６におけるＢ−Ｂ線断面図である。
【図８】塗布体と整形体の連結構造を示す縦断側面図である。
【図９】スイッチ用の節度構造を示す縦断正面図である。
【図１０】図８におけるＣ−Ｃ線断面図である。
【図１１】スイッチノブを第１オン位置へ切換えた状態を示す縦断側面図である。
【図１２】スイッチノブを第２オン位置へ切換えた状態を示す縦断側面図である。
【図１３】スイッチノブと制御回路の関係を示す説明図である。
【図１４】ヒーターの温度制御形態を示すブロック図である。
【図１５】コンパレータの動作原理を示すタイミングチャートである。
【図１６】整形体を塗布体から分離した状態の縦断正面図である。
【図１７】整形体を塗布体から分離した状態の一部破断側面図である。
【図１８】塗布体を容器から分離した状態の一部破断側面図である。
【図１９】本発明に係る美容器具の別実施例を示す一部破断側面図である。
【図２０】本発明に係る美容器具のさらに別の実施例を示す一部破断側面図である。
【図２１】図２０に係る美容器具の連結状態を示す縦断面図である。
【図２２】本発明に係る美容器具のさらに別の実施例を示す一部破断側面図である。
【図２３】図２２に係る美容器具の関係寸法を示す断面図である。
【図２４】本発明に係る美容器具のさらに別の実施例を示す一部破断側面図である。
【図２５】図２４に係る美容器具の使用状態を示す断面図である。
【図２６】本発明に係る美容器具のさらに別の実施例を示す一部破断側面図である。
【発明を実施するための形態】
【００２２】
（実施例１）  図１ないし図１８は本発明をマスカラ塗布具に適用した美容器具の実施例１を示す。本発明における前後、左右、上下とは、図２に示す交差矢印と、各矢印の近傍に表記した前後、左右、上下の表示に従う。
【００２３】
図２においてマスカラ塗布具は、それぞれ異なる機能を発揮する第１部材と、第２部材と、第３部材とで構成する。この実施例においては、マスカラ液を収容する容器１が第１部材であり、容器１に対して着脱される塗布体２が第２部材であり、塗布体２に対して着脱される整形体（処理体）３が第３部材である。容器１と塗布体２は、第１連結構造で着脱自在に連結されており、塗布体２と整形体３は、第２連結構造で着脱自在に連結されている。容器１と塗布体２と整形体３の３者を第１、第２の両連結構造で連結した状態では、マスカラ塗布具を１個の美容器具として取扱うことができる。
【００２４】
容器１は円筒状に形成してあり、その上端に塗布体２の出入口４が開口してある。出入口４の周面には、第１連結構造を構成するねじ軸５が形成してあり、出入口４の内面には余分に付着したマスカラ液をしごき落とすワイパー６が設けてある。ワイパー６は、ゴムまたはプラスチック材で形成した筒体からなり、その底壁にしごき開口７が形成してある。
【００２５】
図６において塗布体２は、容器１の出入口４に着脱される円筒状のキャップ（塗布グリップ）１０と、容器１の内部に差込まれる先端が閉塞された中空軸状の塗布ロッド１１と、塗布ロッド１１の下端部に設けられる塗布部１２とで構成する。キャップ１０には、容器１用の連結部と整形体３用の連結部とが設けてある。容器１用の連結部は、キャップ１０の殆どを占めるねじキャップ５２で構成されており、その内面に、先のねじ軸５に対応するねじ穴１６が形成してある。このように、第１連結構造はねじ軸５とねじキャップ５２とで構成する。キャップ１０の外面には上下方向に長い位置決めリブ５３が形成してある。
【００２６】
整形体３用の連結部は、ねじキャップ５２の上部に連続する連結ボス５４と、連結ボス５４の周面に周回状に形成される連結溝５５とで構成する。連結ボス５４の外直径は、ねじキャップ５２の外直径より小さく設定してあり、連結ボス５４の基端とねじキャップ５２との間の肩壁が、後述するストッパー９３の規制部５６として機能する。連結ボス５４の内面に、先の塗布ロッド１１の上端に設けたロッドボス５７を圧嵌係合することにより、塗布ロッド１１がキャップ１０に対して分離不能に一体化してある。図６に示すように、塗布部１２は塗布ロッド１１の周囲一側に形成した櫛歯（塗布要素）１８の一群で構成されており、隣接する櫛歯１８の間にマスカラ液を保持することができる。図７に示すように、櫛歯１８は先端が丸められた舌片状に形成してある。塗布部１２の全体をヒーター２９の熱で速やかに加熱するために、櫛歯１８を支持する塗布部１２の周囲壁の厚みは、他の周囲壁の厚みより薄く設定してある。
【００２７】
整形体３は、マスカラ塗布具の本体ケースを兼ねる円筒状の整形グリップ（グリップ）２０と、整形グリップ２０の下端から下向きに突出する中空の整形ロッド（処理ロッド）２１と、整形ロッド２１の下端に設けられる加熱整形部（処理部）２２などで構成する。整形グリップ２０の上半一側には樋体状の電池蓋２４が着脱可能に設けてあり、その下側に樋体状の基板カバー６０が配置してある。整形グリップ２０の内部には、電池３３、制御基板６１、スイッチ構造などが収容してある（図２参照）。また、整形グリップ２０の下端部分には丸筒状の遮蔽壁６２が設けてあり、その前面にヒーター２９への通電状態をオン・オフするスイッチノブ３４が設けてある。遮蔽壁６２の後部には、先の位置決めリブ５３を受入れる位置決め溝５８が形成してあり（図３参照）、整形体３を塗布体２に連結した状態では、位置決めリブ５３が位置決め溝５８と係合する状態で、キャップ１０が遮蔽壁６２で囲まれる空間内に収まるようにしてある。スイッチノブ３４の下端は、整形グリップ２０とキャップ１０との接当部に臨んでいる。
【００２８】
図１に示すように、整形グリップ２０の内部で、制御基板６１を収容する区画の下端には、リング状の取付けボス６３が整形グリップ２０と一体に形成してあり、この取付けボス６３に整形ロッド２１の上部が圧嵌装着してある。また、キャップ１０の連結ボス５４を着脱するための連結リング６４が取付けボス６３に固定してある。図４に示すように、連結リング６４の上面および下面の前後の対向位置には、それぞれ一対の係合爪６７と、弾性連結腕６８が突設してある。さらに、連結リング６４の周面の左右の対向位置には、後述するストッパー９３をスライド案内するガイド凹部６９と、位置決め凹部７０とが形成してある。
【００２９】
図１に示すように、一対の係合爪６７を、先の取付けボス６３に設けた係合溝７１に下面側から係合することにより、連結リング６４が取付けボス６３に分離不能に固定される。このとき、位置決め凹部７０が整形グリップ２０の内面に設けた位置決め突起７２で位置決めされる（図４参照）。弾性連結腕６８の下端内面には、断面が半円状の連結爪７３が設けてあり、この連結爪７３が連結ボス５４の連結溝５５と係脱することにより、塗布体２と整形体３を一体化し、あるいは整形体３を塗布体２から分離することができる。このように塗布体２と整形体３とは、弾性連結腕６８と連結溝５５とからなる圧嵌係合構造の第２連結構造で着脱自在に連結してある。
【００３０】
図５に示すように、整形ロッド２１は、左ロッド体２１ａと右ロッド体２１ｂとを蓋合わせ状に接合して形成してある。加熱整形部２２は、右ロッド体２１ｂの下端に設けてあり、上下方向へ一定間隔おきに配置した複数個の櫛歯２８で構成されて、その内部にヒーター２９とサーミスター７５と、感温変色素子７６とが配置してある。櫛歯２８の間は加熱窓７７として開口されており、各加熱窓７７においてヒーター２９の外表面が露出させてある。図７に示すように、櫛歯２８は、その突出寸法に比べて前後寸法が充分に大きな花弁状に形成してある。
【００３１】
図５においてヒーター２９は、内外一対の絶縁シート７８・７９と、両絶縁シート７８・７９の間に挟み保持される発熱素子８０とで面状ヒーターとして構成してあり、これら３者は熱硬化性の接着材で一体に固定してある。ヒーター２９を左右のロッド体２１ａ・２１ｂで確りと固定保持するために、左ロッド体２１ａの内面の多数個所にヒーター支持突起８１を設け、同突起８１と櫛歯２８とでヒーター２９の内外面を挟持している。
【００３２】
サーミスター７５はヒーター２９の上下方向の中央部に配置されており、左ロッド体２１ａの内面とサーミスター７５との間に配置した耐熱性のスポンジ（弾性体）８２で移動付勢されて、ヒーター２９の内面に密着している。感温変色素子７６の変色状態を視認するために、左ロッド体２１ａの下端寄りに視認窓８３が開口してある。ユーザーは、ヒーター２９を通電状態にしたのち、視認窓８３を介して感温変色素子７６の呈色状態を確認することにより、ヒーター２９の発熱状態が適温状態になったことを知ることができる。図４に示すように、右ロッド体２１ｂの内部には、発熱素子８０用のリード線８４と、サーミスター７５用のリード線８５を収容するリード線溝８６が区分壁を介して形成してある。
【００３３】
図８および図３においてスイッチ構造は、スイッチノブ３４でスライド操作される端子板８９と、端子板８９に固定される一対の山形の可動端子９０と、制御基板６１に設けた固定端子（図示していない）と、節度構造などで構成する。スイッチノブ３４は、整形グリップ２０の側面のノブ座９２で上下スライド自在に案内支持されており、その内面に棒状のストッパー９３と、一対の操作爪９４とが設けてある。ストッパー９３および操作爪９４のスライドを許すために、ノブ座９２にはスライド開口９５が形成してある。ノブ座９２の内面壁はストッパー９３をスライド案内するガイド壁を兼ねている。
【００３４】
スイッチノブ３４の下端には、不使用状態においてスイッチノブ３４がオン状態に切換わるのを防ぐ規制片９６が内向きに張出してある。ここでの不使用状態とは、整形体３が装着された塗布体２のねじ穴１６を容器１のねじ軸５に、最後までねじ込んだ状態を意味しており、この状態の規制片９６は容器１の肩壁で受止められている。また、スイッチノブ３４がオン状態に切換わっていた場合には、塗布体２をねじ軸５にねじ込むのに伴って規制片９６が容器１の肩壁で押上げられるため、スイッチノブ３４は強制的にオフ状態に切換えられる。
【００３５】
端子板８９のスイッチノブ３４との対向面には、操作爪９４と係合する四角形状の係合ボス９８が設けてあり、一対の操作爪９４が係合ボス９８と嵌合することにより、端子板８９がスイッチノブ３４で支持されている。図９において節度構造は、端子板８９の長辺部と一体に形成した弾性アーム９９と、弾性アーム９９の中央外面に設けた節度突起１００と、３個の節度凹部１０１を備えた一対の固定壁１０２などで構成する。固定壁１０２は整形グリップ２０の周囲壁の内面に一体に成形してある。
【００３６】
整形体３を使用してまつ毛を整形する場合の加熱整形部２２の温度状態と、塗布体２を使用してマスカラ液をまつ毛に塗布する場合の塗布部１２の温度状態とをそれぞれ好適化するために、スイッチ構造をスイッチノブ３４で３段階に切換え操作している。具体的には、スイッチノブ３４がノブ座９２の上端に位置している図８の状態がオフ状態であり、オフ状態からスイッチノブ３４が１段階押下げスライドされた図１１の状態が第１のオン状態である。また、第１のオン状態からスイッチノブ３４がさらに１段階押下げスライドされた図１２の状態が第２のオン状態である。
【００３７】
第１のオン状態においては、図１４に示すコンパレータ１０５からスイッチング素子にヒーター駆動信号が出力され、電池３３から発熱素子８０に駆動電流が供給されてヒーター２９の温度が上昇する。これに伴い、サーミスター７５の温度が上昇して抵抗値が減少するため、サーミスター７５にかかる電圧が低くなり、サーミスター７５と直列に接続した制御抵抗にかかる電圧が上昇する。そして、制御抵抗にかかる電圧が、図１５に示す基準電圧（低温側の基準電圧）を越えた時点で、コンパレータ１０５の出力が停止され、発熱素子８０に対する駆動電流の供給が停止されて、ヒーター２９の温度が低下する。また、ヒーター２９の温度が低下すると、サーミスター７５の温度が低下して抵抗値が増加するので、サーミスター７５にかかる電圧が高くなり、先の制御抵抗にかかる電圧が低くなる。そして、制御抵抗にかかる電圧が基準電圧（低温側の基準電圧）より低下した時点で、コンパレータ１０５からスイッチング素子にヒーター駆動信号が出力され、発熱素子８０に対する駆動電流の供給が再開される。以後、これを繰り返して、ヒーター２９の発熱状態を低温状態（４０℃）に維持する。なお、ヒーター２９の発熱状態はマスカラ液の組成や粘度特性等に応じて設定すればよく、低温状態は４０℃以外であってもよい。
【００３８】
第２のオン状態においては、基準電圧が高温側の基準電圧に切換わって、これをもとに上記と同様な制御を行って、ヒーター２９の発熱状態を高温状態（７０℃）に維持する。なお、低温側基準電圧および高温側基準電圧を供給する電源部と、コンパレータ１０５などは制御基板６１に設けてある。
【００３９】
上記のように構成したマスカラ塗布具においては、容器１と塗布体２と整形体３との３者をそれぞれ分離した状態で使用することができる。そのため、前記３者をそれぞれ分離した状態では、誤って整形体３が容器１内に差込まれて、その加熱整形部２２がマスカラ液に浸漬されるおそれがある。こうした誤使用を防ぐために、この実施例では整形グリップ２０とキャップ１０との間に挿入阻止構造を設けている。図１に示すように、挿入阻止構造は、塗布体２と整形体３を連結した状態において、キャップ１０の周囲を覆う遮蔽壁（筒壁）６２からなる。容器１に塗布体２を連結し、さらに塗布体２に整形体３を連結した状態において、遮蔽壁６２でキャップ１０の周囲を覆うと、キャップ１０を単独で回転操作することが不可能となる。そのため、整形体３を塗布体２から抜き外したとしても、容器１の出入口４はキャップ１０で塞がれた状態のままであり、従って、整形ロッド２１を容器１内に直接差込まれるのを防止できる。つまり、この実施例では、塗布体２が容器１に連結された状態でのみ、整形体３を塗布体２に対して着脱できるようにして、誤って整形体３が容器１内に挿入されるのを防止している。
【００４０】
因みに、塗布体２と処理体３が連結した状態のままで容器１から分離された場合には、塗布ロッド１１を掴み保持して処理体３を塗布体２から抜外し操作することは不可能ではない。また、塗布体２から分離された状態の処理体３は、容器１に差込み操作されるおそれがある。しかし、塗布ロッド１１は細く、しかもその塗布部１２やロッド表面にマスカラ液が付着しているため、手を汚してまで先のような分離操作を行う試みを躊躇させることができる。従って、キャップ１０の外面を遮蔽壁６２で覆う挿入阻止構造を設けておけば、処理体３が塗布体２から抜外し操作されるのを確実に防止して、処理体３が容器１に差込み操作されるのを防止できる。
【００４１】
上記のように不使用状態のマスカラ塗布具は、キャップ１０に設けたねじ穴１６がねじ軸５にねじ込まれて、塗布体２が容器１と一体化してあり、図２に示すように、この状態の塗布ロッド１１および塗布部１２は、容器１に収容されたマスカラ液に浸漬している。また、整形体３の整形ロッド２１が塗布体２の塗布ロッド１１の内部に収容されて、塗布体２の連結ボス５４に設けた連結溝５５が、連結リング６４の弾性連結腕６８で係合捕捉されている（図１参照）。この状態の整形ロッド２１は、閉鎖構造の塗布ロッド１１の内部に収容されているので、加熱整形部２２を含む整形ロッド２１の全体がマスカラ液に浸漬されることはない。従って、不使用状態において、容器１内のマスカラ液が整形ロッド２１に付着することはない。
【００４２】
不使用状態においては、スイッチノブ３４の規制片９６が容器１の肩壁で受止められて、下方への移動が規制された状態になっている。そのため、スイッチノブ３４が不用意に、第１のオン状態、あるいは第２のオン状態に切換わるのを確実に防止できる。また、先に説明したように、スイッチノブ３４がオン状態に切換わっていた場合には、塗布体２をねじ軸５にねじ込むのに伴って規制片９６が容器１の肩壁で押上げられるため、スイッチノブ３４は強制的に図８に示すオフ状態に切換えられる。
【００４３】
マスカラ塗布具を使用する場合には、整形体３と塗布体２を択一的に使用することにより、まつ毛を整形しカールする作業と、マスカラ液を塗布する作業を行なうことができる。まつ毛を整形しカールする場合には、図１６に示すように、連結ボス５４の連結溝５５と弾性連結腕６８の係合を解除する向きに整形体３を塗布体２から引抜き、加熱整形部２２を塗布ロッド１１から露出させる。その状態でスイッチノブ３４をスライド操作して第２のオン状態に切換え、ヒーター２９を発熱させる。しばらく待って、ヒーター２９の発熱状態が適温（７０℃）に加熱されたことを感温変色素子７６の呈色状態の変化で確認する。スイッチノブ３４を第２のオン状態に切換えた状態では、キャップ１０が塗布ロッド１１と共に容器１側に装着されているので、ストッパー９３がキャップ１０の規制部５６で受止められることはない。この状態の規制片９６は、図１２に示すように整形グリップ２０の下面開口より下方に位置している。
【００４４】
次に、櫛歯２８が上向きになる状態で整形ロッド２１を水平に支持し、まつ毛の湾曲中央部を櫛歯２８で梳き分けながら、ヒーター２９の外表面にまつ毛を接触させる。この状態で、まつ毛を上向きにすくい上げ、さらに加熱窓７７を眉毛の側へ回転させてまつ毛をカールさせる。さらに、カール部分をヒーター２９で加熱しながら、加熱整形部２２の全体を上向きに押し上げることにより、まつ毛を毛先部分まで確実にカールすることができる。同様にして、目頭側および目尻側のまつ毛を加熱整形部２２でカールすることができる。なお、まつ毛をカールさせるときは、捕捉したまつ毛がカール面３２に沿って横移動するのを櫛歯２８で規制でき、従って、隣接する櫛歯２８で捕捉したまつ毛の一群を適正にカールできる。
【００４５】
マスカラ液を塗布する場合には、整形体３を塗布体２に連結して加熱整形部２２を塗布ロッド１１内に収容し、再び整形体３を塗布体２と一体化する。この状態では図１０に示すように、ねじキャップ５２に設けた位置決めリブ５３が、整形グリップ２０に設けた位置決め溝５８と係合している。そのため、整形グリップ２０を緩み方向へ回動操作すると、ねじキャップ５２とねじ軸５とのねじ込み状態が解除されて、図１８に示すように塗布体２を容器１から取外すことができる。このときのキャップ１０は、連結リング６４の弾性連結腕６８で係合捕捉されている。
【００４６】
塗布体２を容器１から取外した状態で、スイッチノブ３４をオン操作すると、スイッチ構造が第１のオン状態に切換わってヒーター２９を発熱させ、塗布部１２を適温（４０℃）に保持できる。これにより、塗布部１２に付着したマスカラ液の温度を上げて、マスカラ液を均一に拡散し流動しやすい状態に調整して、櫛歯１８の間に保持されたマスカラ液をまつ毛に付着させることができる。マスカラ液が不足する場合には、塗布部１２を容器１内に数回出し入れしてマスカラ液を付着させ、塗布部１２の周囲に付着した余分なマスカラ液をワイパー６でしごき落として、再度マスカラ液をまつ毛に付着させる。最後にマスカラコームを使用して、まつ毛を数回梳き流すことにより、まつ毛のカール形状を整えることができる。容器１内に出し入れする際の塗布部１２は、容器１に対して上下に出し入れするだけであるので、ねじ軸５とねじ穴１６の端部同士が接当した位置より下方に差込まれることはなく、従って、スイッチノブ３４がオフ位置へ戻されることはない。
【００４７】
なお、環境温度が低い場合には、整形グリップ２０を緩み方向へ数回回動して、ねじキャップ５２と容器１の肩部との間に、規制片９６が下降移動できる隙間を確保したのち、スイッチノブ３４をオン操作してヒーター２９を発熱させ塗布部１２を加熱する。この場合には塗布部１２がヒーター２９で４０℃に加熱されるので、容器１内のマスカラ液を加熱して粘度を下げ流動性を与えることができる。
【００４８】
上記のように、スイッチノブ３４を第１のオン状態に切換えた状態では、図１１に示すように、ストッパー９３の先端がねじキャップ５２の肩部分に設けた規制部５６で受止められる。そのため、スイッチノブ３４が、第１のオン状態を越えて第２のオン状態に切換えられることはなく、塗布部１２の温度を４０℃に保持できる。
【００４９】
以上のように、整形体３を塗布体２に装着した状態におけるヒーター２９の発熱温度を低温状態に設定して、ヒーター２９の出力を抑制すると、塗布部１２の温度が不必要に高くなるのを防止できる。また、塗布部１２を容器１内のマスカラ液に浸漬した状態では、溶剤などの揮発成分がいたずらに蒸散してマスカラ液が変質し劣化するのを防止しながら、その粘度を低下できる。従って、適度の流動性を備えたマスカラ液を塗布部１２に付着させて、まつ毛に対するマスカラ液の塗布を好適に行なうことができる。整形体３を塗布体２から分離してまつ毛の整形を行う状態におけるヒーター２９の発熱温度を高温状態に設定すると、加熱整形部２２の温度を高くして、まつ毛を効果的に加熱しながら整形して的確にカールすることができる。
【００５０】
なお、整形体３が塗布体２に装着してあるときのヒーター２９の発熱温度が、整形体３を塗布体２から分離したときのヒーター２９の発熱温度と同じ高温状態に設定してある場合には、塗布部１２を容器１内に差込んでマスカラ液を加熱する際に、加熱熱量が過多となってマスカラ液が変質し劣化しやすい。このような状況を避けるには、例えば、塗布ロッド１１の内部空間を大きくし、あるいは塗布ロッド１１の肉厚を大きくすることで対応できるが、そうすると塗布ロッド１１が太くなり、あるいは直径が大きくなり、使い勝手が悪くなる。こうした、不具合を解消するために、整形体３を塗布体２に装着した状態におけるヒーター２９の発熱温度を低温状態に設定して、ヒーター２９の出力を抑制できようにしている。
【００５１】
図１９ないし図２６は、本発明に係る美容器具の別の実施例を示す。以下の説明においては、上記の実施例１と異なる部分を主に説明し、上記の実施例１と同じ部材には同じ符号を付してその説明を省略する。
【００５２】
（実施例２）  図１９は本発明をグロス塗布具に適用した美容器具の実施例２を示す。この実施例では、容器１の内部に高い粘度のグロス液が収容してあり、このグロス液を塗布ロッド１１の先端に設けた塗布部１２に付着させて唇に塗布できる。塗布部１２は丸棒状に形成した軟質発泡体で形成してある。整形体３の整形ロッド２１の下端には、丸棒状の加熱整形部（処理部）２２が設けてあり、先の塗布部１２で塗布したグロス液を加熱整形部２２で塗伸ばしながら整形することができる。本体ケースを兼ねるグリップ２０の下部に連結ボス５４を収容する凹部３０１を設け、その内部に形成した連結リブ３０２と、連結ボス５４に設けた連結溝５５とで第２連結構造を構成した。また、連結溝５５に連結リブ３０２を圧嵌係合した状態において、グリップ２０の回動動作をキャップ１０に伝えるために、ねじキャップ５２の肩壁に複数個の係合穴３０３を凹み形成し、グリップ２０の端壁に係合穴３０３に差込係合される係合突起３０４を形成した。この実施例における挿入阻止構造は、容器１の出入口４の周囲に設けた遮蔽壁（筒壁）６５からなり、塗布体２を容器１にねじ込み連結した状態において、キャップ１０の外面を遮蔽壁６５で覆って、塗布体２が容器１から取外し操作されるのを阻止できるようにした。つまり、整形体３を塗布体２に連結した状態でないと、塗布体２を容器１から分離操作できないようにして、整形体３が容器１内に差込まれるのを防止できるようにした。
【００５３】
（実施例３）  図２０および図２１は本発明をマスカラ塗布具に適用した美容器具の実施例３を示す。この実施例では、第２連結構造を実施例２と同様に形成したうえで、整形グリップ２０の下部に実施例１と同じ内遮蔽壁（遮蔽壁）６２を設け、さらに容器１の出入口４の周囲に外遮蔽壁（遮蔽壁）６５を設けるようにした。容器１に塗布体２を連結し、さらに整形体３を塗布体２に差込み装着した状態では、キャップ１０の外面が内遮蔽壁６２で覆われ、内遮蔽壁６２の外面が外遮蔽壁６５で覆われる。外遮蔽壁６５には位置決めリブ５３が形成され、内遮蔽壁６２には位置決め溝５８が形成してある。このように、内外二重の遮蔽壁６２・６５を設けると、塗布体２を容器１から取外す操作を複雑化して、整形体２が誤って容器１内に差込まれるのを防止できる。
【００５４】
（実施例４）  図２２および図２３は本発明をマスカラ塗布具に適用した美容器具の実施例４を示す。この実施例では、第２連結構造を連結ボス５４の周面に設けたねじ軸３０７と、筒壁６２の内面に形成したねじ穴３０８とで構成した。この場合には、第２連結構造のねじ直径が第１連結構造のねじ直径より小さく設定してあるので、整形グリップ２０に緩み方向の回転力が作用すると、第２連結構造が第１連結構造に先行して分離される。
【００５５】
この実施例における挿入阻止構造は、整形ロッド２１の下端に配置される一対の挿入阻止片３１０と、挿入阻止片３１０を挿入阻止姿勢に変位付勢するばね３１１とで構成してある。挿入阻止片３１０はピン３１２で揺動可能に支持されて、一対の挿入阻止片３１０が逆Ｖ字状に開く挿入阻止姿勢と、一対の挿入阻止片３１０が厚み方向へ重なる挿入許容姿勢との間を揺動できる。図２３に示すように、容器１の出入口４の開口寸法をＤ１、塗布体２の塗布ロッド１１の出入口３１３の開口寸法をＤ２、挿入阻止片３１０が挿入阻止姿勢に変位した状態における差渡し寸法をＥとするとき、式（Ｄ１＜Ｅ＜Ｄ２）を満足するように挿入阻止片３１０を構成している。このように、挿入阻止片３１０の差渡し寸法Ｅを出入口４の開口寸法Ｄ１より大きく設定してあると、たとえ、塗布体２が容器１から取外してある状態であっても、挿入阻止片３１０を容器１の出入口４に差込むことができないので、整形体３が誤って容器１に挿入されるのを防止できる。なお、塗布ロッド１１の出入口３１３は、挿入阻止片３１０の挿入を容易化するために、下すぼまりテーパー状に形成してある。なお、挿入阻止片３１０は１個のみ設けることができ、その場合には、挿入阻止片３１０の中央部をピン３１２で支持して、挿入阻止片３１０が整形ロッド２１の中心軸と直交する挿入阻止姿勢にばね３１１で付勢するとよい。
【００５６】
（実施例５）  図２４および図２５は本発明をマスカラ塗布具に適用した美容器具の実施例５を示す。この実施例では、実施例４と同様に第２連結構造を連結ボス５４の周面に設けたねじ軸３０７と、筒壁６２の内面に形成したねじ穴３０８とで構成した。また、第２連結構造のねじ直径を、第１連結構造のねじ直径より小さく設定して、整形グリップ２０に緩み方向の回転力が作用するとき、第２連結構造が第１連結構造に先行して分離されるようにした。
【００５７】
この実施例における挿入阻止構造は、容器１の出入口４の内周面に配置したリング状の第１磁石３１６と、整形ロッド２１の下端部に配置した丸棒状の第２磁石３１７とで構成する。第１磁石３１６および第２磁石３１７は、ネオジウム磁石、あるいはサマリウムコバルト磁石などで形成してあり、第１磁石３１６の磁極の極性と、第２磁石３１７の磁極の極性とが、互いに反発し合う極性に設定してある。例えば、第１磁石３１６の下面側の磁極の極性がＮ極である場合には、第２磁石３１７の上面側の磁極の極性がＮ極に成るようにして、図２５に示すように、整形ロッド２１の下部が出入口４の開口の近傍に接近してきたとき、両磁石３１６・３１７が互いに反発して整形ロッド２１の差込み動作を阻むようにしてある。
【００５８】
（実施例６）  図２６は本発明をマスカラ塗布具に適用した美容器具の実施例６を示す。この実施例では、第２連結構造を実施例２と同様に形成したうえで、整形グリップ２０の下部に実施例３と同じ内遮蔽壁６２を設け、さらに容器１の出入口４の周囲に外遮蔽壁６５を設けて挿入阻止構造とした。また、ヒーター２９の代わりに、処理部２２の内部に偏心錘３２０を設けて、これを整形グリップ２０の内部に設けたモーター３２１でフレキシブルワイヤー３２２を介して回転駆動できるようにした。このように、処理部２２の内部で偏心錘３２０を回転駆動すると、処理部２２および処理ロッド２１を振動させることができ、従ってまつ毛に塗られたマスカラ液とまつ毛の接触機会を増やして、マスカラ液をまつ毛に対して均一に付着させることができる。
【００５９】
上記の実施例ではヒーター２９は面状ヒーターである必要はなく、ニクロム線を発熱素子にして構成してあってもよい。塗布要素１８としては、櫛歯以外にブリッスル束であってもよい。ヒーター２９の発熱状態は、第１、第２のオン状態以外に、両状態の中間の温度状態や、第２のオン状態より高温の温度状態に適宜設定することができる。本発明に係る美容器具は、容器１を省いて塗布体２と整形体３で構成することができる。その場合には、塗布体２の外面を保護キャップで覆うとよい。
【符号の説明】
【００６０】
１  容器
２  塗布体
３  処理体（整形体）
１０  キャップ
１１  塗布ロッド
１２  塗布部
２０  グリップ（整形グリップ）
２１  処理ロッド（整形ロッド）
２２  処理部（加熱整形部）
６２・６５  遮蔽壁
【図１】
2014073243.tif 000003
【図２】
2014073243.tif 000004
【図３】
2014073243.tif 000005
【図４】
2014073243.tif 000006
【図５】
2014073243.tif 000007
【図６】
2014073243.tif 000008
【図７】
2014073243.tif 000009
【図８】
2014073243.tif 000010
【図９】
2014073243.tif 000011
【図１０】
2014073243.tif 000012
【図１１】
2014073243.tif 000013
【図１２】
2014073243.tif 000014
【図１３】
2014073243.tif 000015
【図１４】
2014073243.tif 000016
【図１５】
2014073243.tif 000017
【図１６】
2014073243.tif 000018
【図１７】
2014073243.tif 000019
【図１８】
2014073243.tif 000020
【図１９】
2014073243.tif 000021
【図２０】
2014073243.tif 000022
【図２１】
2014073243.tif 000023
【図２２】
2014073243.tif 000024
【図２３】
2014073243.tif 000025
【図２４】
2014073243.tif 000026
【図２５】
2014073243.tif 000027
【図２６】
2014073243.tif 000028